(57)【要約】【課題】通常のグリーンカーテンは、フェンスや軒下にネットやワイヤーを取り付け、加えてそれらの支持レール等の支持材も必要とされ、構造上大がかりで、コストもかさみ、又、作業に梯子を必要とし、危険も伴った。【解決手段】アコーディオン型の伸縮式支柱を用い、壁に立てかけた上端に鉤型フックを設け、鉤の反対側に紐通し部を設け、伸びきった支柱本体よりも余有の長さを有する紐・即ち支柱湾曲防止紐の一端を紐通し部を通して、末端にストッパーを設け、他端は支柱下端近くに設けた紐固定フックに固定し、支柱本体下端に杭受けリングを設け、リングに杭を打ち込み地面に固定し安定させることを特徴とするアコーディオン型グリーンカーテン支柱。【選択図】図３
2017018081.tif 000002
【特許請求の範囲】
【請求項１】
アコーディオン型バリケードフェンスのような、四辺菱形を連結したアコーディオン型の伸縮式支柱を、１連又は複数連組み合わせて用いるのであるが、壁に立て掛けた状態における支柱本体の一端側（上側端）に交差した左右２片の末端に鉤型フックを設け、フックにおける鉤の反対側に紐通し部を設け、この紐通し部に通されることになる・最大に伸びきった支柱本体の長さよりも余裕のある長さを有する紐・即ち支柱湾曲防止紐は、紐通し部を通ってすぐの位置・即ち鉤型フック側における一端において、ストッパーを設け、他端は支柱本体の上端左右から支柱本体の下端の左右に向かって、壁側を途中で左右に交差しつつ伸び降り、支柱本体の他端即（地面側）の末端（下端）近くで紐輪を形成し、支柱本体下端のすぐ手前に紐固定フックを設け、支柱本体下端の双方に杭受けリングを設けるというものであって、支柱湾曲防止紐をピンと張って、紐輪を紐固定フックに掛け止めて、支柱本体を壁側から支えると共に、杭受けリングに杭を打ち込むことによって、支柱本体が地面と壁にしっかりと据え付けられ安定するということを特徴とするアコーディオン型グリーンカーテン支柱。
【発明の詳細な説明】
【技術分野】
【０００１】  本発明は、つる植物などをフェンスや軒下につくるアコーディオン型グリーンカーテン支柱に関するものである。
【背景技術】
【０００２】  従来、グリーンカーテンをつくるためには、フェンスや軒下につるを絡ませるためのネットやワイヤーを設け、ネットやワイヤーの支持材も必要とされた（特許文献１参照）。又、設置作業において、梯子等も必要とされた。
【先行技術文献】
【０００３】
【特許文献１】特開２０１３−０１３３５１号公報
【発明の概要】
【発明が解決しようとする課題】
【０００４】  参考文献に示される先行技術は、グリーンカーテンをつくろうとすると、フェンスや軒下の上部にネットやワイヤーを取り付けねばならず、加えてそれらの支持レール等の支持材も必要とされ、構造上大がかりで、コストもかさんでしまった。又、作業そのものが梯子を必要とし、常に危険を伴った。又、植物が枯れたあとの始末も困難であった。
本発明は、以上の問題点を解決するためになされたものである。
【問題を解決するための手段】
【０００５】  アコーディオン型バリケードフェンスのような、四辺菱形をしたアコーディオン型の伸縮式支柱を、１連又は複数連組み合わせて用い、壁に立て掛けた状態における支柱本体の一端側（上端側）に交差した左右２片の末端に鉤型フックを設け、フックにおける鉤の反対側に紐通し部を設け、この紐通し部に通されることになる・最大に伸びきった支柱本体の長さよりも余裕の長さを有するところの、支柱湾曲防止紐は、紐通し部を通ってすぐの位置・即ち鉤型フック側における一端において、ストッパーを設け、他端は支柱本体の上端左右から支柱本体の壁側を下端の左右に向かって、途中で交差しつつ伸び降り、支柱本体他端側（地面側）の末端即ち下端近くで紐輪を形成し、支柱本体下端手前に紐固定フックを設け、支柱本体下端の双方に杭受けリングを設ける。支柱湾曲防止紐をピンと張って紐輪を紐固定フックに掛け止めて、支柱本体を壁側から支えると共に、杭受けリングに杭を打ち込むことによって、支柱本体が地面と壁にしっかり据え付けられ安定する。
以上を特徴とするアコーディオン型グリーンカーテン支柱である。
【発明の効果】
【０００６】  従来グリーンカーテンをつくろうとすると、支持レールや支持材を必要とし設置作業そのものが梯子を必要とする危険を伴ったものであったが、本発明により手軽に安全にグリーンカーテン支柱を設置でき、植物が枯れたあとの始末も容易である。
【図面の簡単な説明】
【０００７】
【図１】本発明の斜視図
【図２】本発明の非使用時の状態を示す斜視図
【図３】本発明の実施例を示す斜視図
【発明を実施するための形態】
【０００８】  以下、本発明の実施の形態を説明する。
（イ）アコーディオン型バリケードフェンスのような、四辺菱形を連結したアコーディオン型の伸縮式支柱本体（１）を１連又は複数連組み合わせたものを設ける。
（ロ）壁に立て掛けた状態における支柱本体（１）の一端側（上側端）に交差した左右２片の末端に鉤型フック（２）を設ける。
（ハ）鉤型フック（２）における鉤の反対側に紐通し部（３）を設ける。
（ニ）紐通し部（３）に通されることになる・最大に伸びきった支柱本体（１）の長さよりも余裕の長さを有する紐・支柱湾曲防止紐（４）を設け、紐通し部（３）を通ってすぐの位置・即ち鉤型フック（２）側における一端において、支柱湾曲防止紐（４）の末端にストッパー（５）を設ける。
（ホ）支柱湾曲防止紐（４）の他端は、支柱本体（１）の上端左右から支柱本体（１）の下端の左右に向かって壁（１０）側を途中で交差しつつ伸び降り、支柱本体（１）の他端側（地面側）の末端（下端）近くで紐輪（６）を形成する。
（ヘ）支柱本体（１）下端のすぐ手前に紐固定フック（７）を設け、支柱本体（１）下端の双方に杭受けリング（８）を設ける。
（ト）支柱湾曲防止紐（４）をピンと張って、紐輪（６）を紐固定フック（７）に掛け止めて、支柱本体（１）を壁（１０）側から支えると共に、杭受けリング（８）に杭（９）を打ち込むことによって、支柱本体（１）が地面と壁（１０）にしっかりと据え付けられ安定する。
本発明は以上のような構成であり、以下これを実際に使用する場合の諸形態を説明する。
軒下等にあさがお等のつるを絡ませたグリーンカーテンをつくる場合、伸縮式の支柱本体（１）を伸ばし、壁に立て掛け、鉤型フック（２）を雨樋等の設置したい場所に引っ掛けるだけでよく、手の届かない高い場所でも梯子を使わずに簡単に設置できる。紐通し部（３）を通った支柱湾曲防止紐（４）を下方向に引っ張るとストッパー（５）が引き上げられ、雨樋を鉤型フック（２）とストッパー（５）で挟み固定することができ、雨風等で支柱本体（１）が雨樋から外れることを防ぐ。立て掛けた壁面側を支柱本体（１）に沿うように下方向に伸びた支柱湾曲防止紐（４）は、途中で交差しつつ伸び降り、ピンと張って紐輪（６）を紐固定フック（７）に掛け止めることにより、支柱本体（１）が湾曲するのを防ぐ。更に、杭受けリング（８）に杭（９）を打ち込むことにより、支柱本体（１）が支柱湾曲防止紐（４）の張りにより浮いてしまうことを防ぎ、地面と壁（１０）にしっかり据え付けられ安定する。支柱を取り外す時は、紐輪（６）を紐固定フック（７）から外してやると、ストッパー（５）の挟みつけが緩み、鉤型フック（２）を雨樋から簡単に外すことができるので、種等の収穫や絡まりついていたつるが枯れたあとの始末も容易である。又、必要のない時期は支柱本体（１）をコンパクトに閉じたためるので、収納スペースも大幅に省ける。
【符号の説明】
【０００９】１  支柱本体，    ２  鉤型フック，    ３  紐通し部，
４  支柱湾曲防止紐，    ５  ストッパー，    ６  紐輪，    ７  紐固定フック，
８  杭受けリング，    ９  杭，    １０  壁，
【図１】
2017018081.tif 000003
【図２】
2017018081.tif 000004
【図３】
2017018081.tif 000005